(57)【要約】      （修正有）【課題】スポーツの運動フォームの訓練を行う者にその上達の程度を客観的に把握させるような仕組みを提供する。【解決手段】音響処理部１４と音発生部１５は、被験者の運動フォームのリズムを示す第１から第３の案内音をスピーカ１６から発音させる。加速度センサ１１は、それらの案内音に合わせて被験者が運動を行う間の加速度を検出する。そして、ＡＤＣ１７、遅延部１８、フィルタ２０による信号処理を経て、その加速度のサンプルが評価部２２へ供給される。評価部２２は、加速度の時間波形の特徴点のサンプルの取得時刻と、ボールの打撃の瞬間のサンプルの取得時刻との間の時間間隔を求め、この時間間隔と理想値パラメータが示す模範の時間間隔とのずれ量を、評価結果として提示する。【選択図】図１
2009247529.tif 000002
【特許請求の範囲】
【請求項１】
一連の案内音を時間間隔をあけて順に発音する発音手段と、
被験者の力の作用を受ける部位の運動状態を示す物理量を検出する検出手段と、
前記検出手段が検出した物理量の変化を示す時間波形の特徴点を抽出し、その特徴点を評価する評価手段と
を備えることを特徴とする運動評価装置。
【請求項２】
前記発音手段は、
前記評価手段による評価の結果を示す音をさらに発音する
ことを特徴とする請求項１に記載の運動評価装置。
【請求項３】
前記評価手段は、
前記一連の案内音のうちの１つを前記発音手段が発音した発音時刻と前記特徴点の物理量を前記検出手段が検出した時刻との間の時間間隔を求め、この時間間隔と評価の基準とする時間間隔とのずれ量を求める
ことを特徴とする請求項１または２に記載の運動評価装置。
【請求項４】
前記評価手段は、
前記一連の案内音のうちの１つを前記発音手段が発音した発音時刻を、当該一連の案内音のリズムと前記被験者の運動のリズムの差に相当する分だけ遅らせまたは遡らせ、当該発音時刻を遅らせた時刻または遡らせた時刻と前記特徴点の物理量を前記検出手段が検出した時刻との間の時間間隔を求め、この時間間隔と評価の基準とする時間間隔とのずれ量を求める
ことを特徴とする請求項１または２に記載の運動評価装置。
【請求項５】
前記評価手段が求めたずれ量に応じて、その後に前記発音手段が発音する案内音のピッチ、音色、音量、または、それらの組み合わせを変化させる案内音変化制御手段
をさらに備えることを特徴とする請求項２から４のいずれか１項に記載の運動評価装置。
【請求項６】
前記検出手段が物理量を検出するたびに、物理量の移動平均が所定条件を満たすか否かを判定する判定手段
をさらに備え、
前記評価手段は、
前記物理量の移動平均が所定条件を満たすと前記判定手段が判定したとき、以後に前記検出手段が検出した物理量の変化を示す時間波形から特徴点を抽出する
ことを特徴とする請求項１から５のいずれか１項に記載の運動評価装置。
【請求項７】
コンピュータに
一連の案内音を時間間隔をあけて順に発音する発音機能と、
被験者の力の作用を受ける部位の運動状態を示す物理量を検出する検出機能と、
前記検出機能により検出した物理量の変化を示す時間波形の特徴点を抽出し、その特徴点を評価する評価機能と
を実現させるためのプログラム。
【発明の詳細な説明】
【技術分野】
【０００１】
本発明は、テニスのスイングや水泳などの運動の評価に好適な運動評価装置およびプログラムに関する。
【背景技術】
【０００２】
スポーツの訓練の多くの時間は、その基本となる運動フォームの習得に費やされている。特許文献１および２には、性別や年齢を問わず広く普及しているスポーツの一つであるゴルフのスイングの習得を支援する仕組みの開示がある。
特許文献１に開示されたゴルフ練習装置は、競技者がアドレスをとるスイング台の４隅にロードセルを設け、競技者がスイングを行う間の荷重中心の移動速度をそれらのロードセルが検出する荷重を基に割り出す。そして、荷重中心の移動速度が設定値以下になった時に、クラブがトップオブスイングの位置に至ったことを示す音を出力する。特許文献２に開示されたゴルフスイング矯正装置は、競技者の両足の、かかと側、親指側、小指側にかかる体重をセンサにより検知する。そして、競技者がスイングの準備姿勢であるアドレスをとったことをその足の親指のセンサにより検知すると、スイングに適したリズム音を発音する。
【特許文献１】特開平０４−３０７０７６号公報
【特許文献２】特開平０９−０８３９１７号公報
【発明の開示】
【発明が解決しようとする課題】
【０００３】
ところで、スポーツの訓練の効率性を高めるためには、訓練を行う競技者にその技量の上達の程度を理解させることが極めて重要であるとされている。しかしながら、特許文献１や特許文献２に開示された装置は、運動フォームの最適な開始タイミングを音により案内するものにすぎない。よって、競技者は、その案内音に合わせて行った運動フォームがどの程度良好であるのかを知ることができず、効率的な訓練を行うことができないという問題があった。
本発明は、このような背景の下に案出されたものであり、スポーツの運動フォームの訓練を行う者にその上達の程度を客観的に把握させ得るような仕組みを提供することを目的とする。
【課題を解決するための手段】
【０００４】
本発明の好適な態様である運動評価装置は、一連の案内音を時間間隔をあけて順に発音する発音手段と、被験者の力の作用を受ける部位の運動状態を示す物理量を検出する検出手段と、前記検出手段が検出した物理量の変化を示す時間波形の特徴点を抽出し、その特徴点を評価する評価手段とを備える。
この態様では、一連の案内音を発音するとともに、被験者の力の作用を受ける部位の運動状態を示す物理量の時間波形から特徴点を抽出し、抽出した特徴点を評価する。よって、一連の案内音のリズムに合わせて行われる被験者の運動を正確に評価することができる。被験者は、この運動評価装置により提示される評価を確認することにより、自らの運動フォームがどの程度まで上達しているのかを把握することができる。
【発明を実施するための最良の形態】
【０００５】
（発明の実施の形態）
以下、図面を参照し、この発明の実施形態を説明する。
本実施形態にかかる運動評価装置は、テニスのスイングの運動フォームを評価するものである。テニスのスイングは、ラケットを引くテイクバック運動と、引いたラケットを自らの懐へのボールの到達に合わせて振り抜くフォワードスイング運動とからなる連続運動である。本実施形態にかかる運動評価装置は、運動フォームの評価を受ける者（以下、「被験者」と呼ぶ）がスイングのリズムを取りやすくするための第１〜第３の案内音を発音し、それらの一連の案内音に合わせて被験者がスイングを行う間の腰の加速度の時間波形から抽出した特徴点を基に、その運動フォームを評価する。本実施形態において、「特徴点」は、加速度の時間波形において運動者の運動状態の変化が顕著に現れる点を意味し、加速度の波形における極大値や極小値が該当する。
【０００６】
図１は、本実施形態にかかる運動評価装置１０の構成を示す図である。図１に示すように、この運動評価装置１０は、加速度センサ１１、主制御部１２、パラメータ記憶用メモリ１３、音響処理部１４、音発生部１５、スピーカ１６、ＡＤＣ（Analog Digital Converter）１７、遅延部１８、運動開始判定部１９、フィルタ２０、サンプル用メモリ２１、および評価部２２を有する。これらのうち加速度センサ１１を除く各部は、被験者の掌に収まるサイズの筺体に内蔵され、例えば、被験者の衣服のポケット等に収容される。また、加速度センサ１１は、被験者がスイングを行う間に加速される部位の１つである腰に装着され、ケーブルにより筺体の内部のＡＤＣ１７と接続される。
【０００７】
加速度センサ１１は、一軸の加速度センサである。この加速度センサ１１は、第１の向きに加わる加速度を、その大きさに応じたレベルの正のアナログ信号として出力し、第１の向きとの逆の第２の向きに加わる加速度を、その大きさに応じたレベルの負のアナログ信号として出力する。本実施形態において、加速度センサ１１は、被験者がフォワードスイング運動をしているときの腰の移動の向きが第１の向きとなるように、被験者の腰に固定される。
主制御部１２は、筺体に内蔵された各部の動作を制御する装置である。  
パラメータ記憶用メモリ１３は、案内音パラメータ、時間差パラメータ、評価音声パラメータ、および評価基準値パラメータの４種のパラメータを記憶する。主制御部１２は、これらの４種のパラメータのうち案内音パラメータと評価音声パラメータを音響処理部１４に設定し、時間差パラメータを遅延部１８と評価部２２に設定し、評価基準値パラメータを評価部２２に設定する。
【０００８】
案内音パラメータは、被験者に運動のタイミングを示唆する案内音に関するパラメータであって、第１、第２、第３の時間的に独立した案内音の各々の音色と、それらの各案内音の発音の時間間隔とを示すパラメータである。これらの３つの案内音で構成される一連の案内音のうち第３の案内音は、ボールの打撃のタイミングを指示する案内音である。第１〜第３の各案内音の音色は、被験者によるリズミカルな運動を引き出すものであることが望ましい。例えば、打撃のタイミングを指示する第３の案内音の音色を「チャ」というような軽快な感じを与える音色にし、その前の第１の案内音と第２の案内音の音色を「ズン」というような重厚な感じを与える音色にして、「ズン・ズン・チャ」という一連の案内音を発音する。被験者は、「ズン・ズン」という第１、第２の案内音を聞きながら、テイクバック運動からフォワードスイング運動へと移り、第３の案内音「チャ」のタイミングにおいて、ボールを打撃することを促される。
【０００９】
時間差パラメータは、第１〜第３の案内音に合わせた被験者のスイングによりボールが打撃されるタイミングと第３の案内音が発音されるタイミングとの時間差を示すパラメータである。この時間差パラメータは、以下に示す初期設定作業を通じて各被験者ごとに取得される。
初期設定作業においては、案内音パラメータが示す時間間隔をあけてそのパラメータが示す３つの案内音を順に発音し、第３の案内音の発音に合わせてボールを打撃する、という条件の下で、本装置１０を使う被験者に試し打ちを行わせる。そして、その試し打ちのスイングの間の被験者の身体の各部位やラケットの位置を光学測定機器などにより測定する。このとき、被験者の近くに位置させた練習相手から、その懐のあたりへボールをトスしてもらうようにするとよい。当然ながら、各被験者のリズム感には個人差があり、第３の案内音の発音に合わせるつもりで行ったスイングの打撃のタイミングがその発音より早くなってしまうようなリズム感を持つ被験者もあれば、遅れてしまうようなリズム感を持つ被験者もある。
試し打ちをが終わると、その間に測定しておいた測定値を基に、第３の案内音を発音した時刻と被験者がボールを実際に打撃した時刻の時間差を割り出し、その時間差を該当の被験者の時間差パラメータとしてパラメータ記憶用メモリ１３に記憶する。ここで、試し打ちにおける打撃の時刻が第３の案内音の発音の時刻より早すぎた被験者の時間差パラメータの符号は負にし、遅すぎた被験者の時間差パラメータの符号は正にする。
【００１０】
評価音声パラメータは、被験者に運動フォームの評価結果の内容を報知する評価音声に関するパラメータであって、被験者の運動フォームの評価結果が不良であったとき、良好であったとき、極めて良好であった時にそれぞれ出力する評価音声、具体的には、「Practice More」、「Good」、「Excellent」の評価音声を示すパラメータである。
【００１１】
評価基準値パラメータは、スイングを始めてからラケットがボールを打撃するまでの間の腰の加速度の時間波形における特徴点の発生時刻に関するパラメータであって、打撃の瞬間に最も近い極大値と極小値の各々とその打撃の瞬間との間の模範の時間間隔（「模範時間間隔」という）を示すパラメータである。この評価基準値パラメータは、プロテニスプレーヤらに模範のスイングを行わせて得た加速度の時間波形の実測値から取得するとよい。また、この評価基準値パラメータは、模範のスイングの加速度の時間波形の理論値（計算値）から取得してもよい。
ここで、プロテニスプレーヤなどの上級者のスイングにおける腰の加速度の時間波形には、図２に示すように、打撃の瞬間よりも所定時間Ｄ１だけ前に極大値Ｐ１が出現し、打撃の瞬間よりも所定時間Ｄ２だけ前に極小値Ｐ２が出現する、という共通した特徴がある。これは、身体の力をボールの打撃力へと効率よく変換するための合理的な腰の加速のさせ方があり、上級者はいずれも、そのような腰の加速のさせ方を身につけているためである。
【００１２】
図１において、音響処理部１４は、案内音パラメータが示す第１〜第３の案内音の音波形のオーディオ信号を出力する第１の役割と、評価音声パラメータが示す評価音声の音波形のオーディオ信号を出力する第２の役割とを果たす。
第１の役割において、音響処理部１４は、案内音の発音の指示が主制御部１２から下されると、まず、第１の案内音を発音し、第１の案内音を発音してから時間間隔ｔ１をあけて第２の案内音を発音し、第２の案内音を発音してから時間間隔ｔ２をあけて第３の案内音を発音し、第３の案内音を発音してから時間間隔ｔ３をあけて第１の案内音の発音に戻る、というサイクルを繰り返す。この時間間隔ｔ１，ｔ２，ｔ３は、案内音パラメータにより示されるものであり、クロックのカウント数を基に特定するとよい。
第２の役割において、音響処理部１４は、「Practice More」、「Good」、「Excellent」のいずれかの評価音声の発音の指示が主制御部１２から下されると、その指示にかかる評価音声のオーディオ信号を出力する。
音発生部１５は、音響処理部１４から出力されるオーディオ信号が示す音をスピーカ１６から放音させる。
【００１３】
ＡＤＣ１７は、加速度センサ１１から出力されたアナログ信号を所定の周期のサンプリングクロックφによりサンプリングし、そのサンプルを示すデジタル信号を出力する。
遅延部１８は、主制御部１２によって自らに設定された時間差パラメータの符号が負である場合に、ＡＤＣ１７から出力される加速度のサンプルのデジタル信号を、その時間差パラメータが示す時間差の分だけ遅延させた上で、出力する。
運動開始判定部１９は、被験者によるスイングの開始を判定する役割を果たす。この役割において、運動開始判定部１９は、被験者がスイングを始める際の腰の加速度の立ち上がりに相当する閾値ｔｈを判定に用いる。具体的には、運動開始判定部１９は、遅延部１８から加速度のサンプルが出力されるたびに、そのサンプルとそれに先行する複数のサンプルの加速度の移動平均を求め、求めた移動平均と閾値ｔｈを比較する。そして、移動平均が閾値ｔｈを上回ると、以後に遅延部１８から出力される加速度のサンプルを自らを介してフィルタ２０へ出力する。
【００１４】
フィルタ２０は、運動開始判定部１９から出力される加速度のサンプルから、ノイズに相当する成分と重力加速度に相当する成分とを除去して出力する。
サンプル用メモリ２１は、スイングが始まってから終わるまでの時間Ｔ相当の加速度のサンプル列を書き込み得るだけの記憶アドレスを有するメモリである。このメモリ２１には、フィルタ２０から出力されるサンプルがその出力の順に書き込まれる。
【００１５】
評価部２２は、打撃の瞬間の加速度のサンプル（「基準サンプル」という）が取得された時刻と、特徴点である極大値と極小値の加速度のサンプル（「被評価サンプル」という）が取得された時刻の各々との間の時間間隔（「被評価時間間隔」という）を求め、この被評価時間間隔と評価基準値パラメータが示す模範時間間隔とのずれ量を示す信号を出力する役割を果たす。以降の説明では、図２のＤ１に相当する被評価時間間隔を「被評価時間間隔Ｄ１’」と記し、Ｄ１に相当する模範時間間隔を「模範時間間隔Ｄ１’’」と記す。また、図２のＤ２に相当する被評価時間間隔を「被評価時間間隔Ｄ２’」と記し、Ｄ２に相当する模範時間間隔を「模範時間間隔Ｄ２’’」と記す。
この役割において、評価部２２は、音響処理部１４におけるオーディオ信号の出力サイクルと同期をとりつつ第３の案内音の発音を待ち、第３の案内音が発音されると、サンプル用メモリ２１から基準サンプルを探索した後、サンプル用メモリ２１におけるその基準サンプルの前のサンプル列を１つずつ遡りながら走査し、極大値と極小値の各々に対応する２つの被評価サンプルを探索する。そして、評価部２２は、基準サンプルと被評価サンプルの各々との間のサンプル書き込み数に所定の演算を施すことによって被評価時間間隔Ｄ１’およびＤ２’を割り出し、これらの被評価時間間隔Ｄ１’およびＤ２’と模範時間間隔Ｄ１’’およびＤ２’’との間のずれ量の総計（｜Ｄ１’−Ｄ１’’｜＋｜Ｄ２’−Ｄ２’’｜）をずれ量信号として主制御部１２へ出力する。
【００１６】
ここで、被評価時間間隔Ｄ１’およびＤ２’を割り出す際の起算点となる基準サンプルの探索は、たとえば、以下のルールａ．およびｂ．に従って行うとよい。
ａ．主制御部１２によって評価部２２に設定された時間差パラメータの符号が正である場合、打撃の瞬間が第３の案内音の発音より遅くなってしまうようなリズム感を持つ被験者が本装置１０を使っている。よって、第３の案内音の発音と同時に書き込まれたものよりもその時間差パラメータが示す時間差相当だけ後に書き込まれたサンプルを基準サンプルとする。
ｂ．主制御部１２によって評価部２２に設定された時間差パラメータの符号が負である場合、打撃の瞬間が第３の案内音の発音より早くなってしまうようなリズム感を持つ被験者が本装置１０を使っている。ただし、この場合は、時間差パラメータが示す時間差の分だけ遅延部１８によりサンプル列が遅延されるため、その遅延を経たサンプル列のうちの打撃の瞬間の加速度のサンプルがサンプル用メモリ２１へ書き込まれる時刻と第３の案内音が発音される時刻の間に大きな時間差はない。よって、第３の案内音の発音とほぼ同時に書き込まれたサンプルを基準サンプルとする。
【００１７】
主制御部１２は、時間差パラメータを遅延部１８と評価部２２へ設定する第１の制御、案内音パラメータが示す第１〜第３の案内音のオーディオ信号を音響処理部１４に発生させる第２の制御、および、それらの案内音に合わせたスイングの評価結果であるずれ量を評価部２２から受け取り、そのずれ量に応じた評価音声のオーディオ信号を音響処理部１４に発生させる第３の制御を行う。
【００１８】
以上説明した各構成要素のうち、音響処理部１４、音発生部１５、スピーカ１６は、「一連の案内音を時間間隔をあけて順に発音する発音手段」を構成し、加速度センサ１１は、「被験者の力の作用を受ける部位の運動状態を示す物理量を検出する検出手段」を構成し、評価部２２は、「検出した物理量の変化を示す時間波形の特徴点を抽出し、その特徴点を評価する評価手段」を構成する。
【００１９】
次に、本実施形態の動作を説明する。
図３は、本実施形態の動作を示すフローチャートである。図３に示す一連の処理は、時間差パラメータの遅延部１８および評価部２２への設定と評価基準値パラメータの評価部２２への設定とを済ませた運動評価装置１０の加速度センサ１１を被験者の腰に装着させ、図示しない操作子により評価の開始が指示されると、実行される。
【００２０】
評価の開始が指示されると、主制御部１２は、案内音の発音を開始させる（Ｓ１００）。具体的には、音響処理部１４に対して案内音の発音の指示を下す。この指示を受けた音響処理部１４は、第１〜第３の案内音のオーディオ信号をそのパラメータが示す時間間隔をあけて音発生部１５へ出力するサイクルを繰り返す。被験者は、スピーカ１６から繰り返し発音される第１〜第３の案内音を数サイクル分聴くことにより、そのリズムを把握し、適当なサイクルの第１〜第３の案内音の発音に合わせてスイングを行う。
【００２１】
運動開始判定部１９は、スイングが開始されたと判定すると（Ｓ１１０：Ｙｅｓ）、加速度のサンプル列を出力する（Ｓ１２０）。それらのサンプル列は、フィルタ２０により、ノイズや重力加速度に相当する成分を除去された後（Ｓ１３０）、評価部２２による特徴点のサンプルの抽出に供される（Ｓ１４０）。さらに、評価部２２は、その特徴点のサンプルの取得時刻と打撃の瞬間の加速度のサンプルの取得時刻の間の時間間隔である被評価時間間隔Ｄ１’およびＤ２’を求め、被評価時間間隔Ｄ１’およびＤ２’と評価基準値パラメータが示す模範時間間隔Ｄ１’’およびＤ２’’との間のずれ量の総計（｜Ｄ１’−Ｄ１’’｜＋｜Ｄ２’−Ｄ２’’｜）をずれ量信号として主制御部１２へ出力する（Ｓ１５０）。そして、ずれ量を取得した主制御部１２は、そのずれ量の大きさに応じた評価音声を発音させる（Ｓ１６０）。具体的には、主制御部１２は、ずれ量が第１の閾値よりも小さい場合、「Excellent」の評価音声を発音させる。また、そのずれ量が第１の閾値より大きいものの第２の閾値より小さい場合、「Good」の評価音声を発音させ、第２の閾値より大きい場合、「Practice More」の評価音声を発音させる。
ステップＳ１６０にて評価音声を出力すると、サンプル用メモリ２１のサンプルを消去してからステップＳ１１０に戻り、次のスイングの開始を待つ。図３に示す一連の処理は、操作子により評価の終了が指示されると、終了となる。
【００２２】
以上説明した本実施形態では、第１〜第３の案内音のリズムに合わせて被験者にスイングを行わせてその腰の加速度をサンプリングし、そのスイングの間のサンプル列から特徴点を抽出する。そして、その特徴点の加速度のサンプルの取得時刻と打撃の瞬間の加速度のサンプルの取得時刻との時間間隔である被評価時間間隔Ｄ１’およびＤ２’を求め、その被評価時間間隔Ｄ１’およびＤ２’と評価基準値パラメータが示す模範時間間隔Ｄ１’’およびＤ２’’との間のずれ量の総計（｜Ｄ１’−Ｄ１’’｜＋｜Ｄ２’−Ｄ２’’｜）に応じた評価結果を出力する。これにより、被験者の運動フォームの上達の程度を示す信頼性の高い評価結果を提示することができる。
また、本実施形態では、初期設定作業を通じて取得された被験者ごとの時間差パラメータが運動評価装置１０の遅延部１８と評価部２２へ設定される。そして、時間差パラメータの符号が負である場合、ＡＤＣ１７から出力される加速度のサンプルをその時間差パラメータが示す時間差の分だけ遅延させた上で、サンプル用メモリ２１に書き込む。一方、時間差パラメータの符号が正である場合、そのような遅延を行なわず、第３の案内音の発音時刻よりもその時間差パラメータが示す時間差相当だけ後にサンプル用メモリ２１に書き込まれたサンプルを基準サンプルとし、被評価時間間隔Ｄ１’およびＤ２’を求める。つまり、本実施形態においては、時間差パラメータが示す時間差に相当する分だけ第３の案内音の発音時刻を遅らせまたは遡らせ、第３の案内音の発音時刻を遅らせた時刻または遡らせた時刻と特徴点の加速度のサンプルを取得した時刻との間の時間間隔を被評価時間間隔Ｄ１’およびＤ２’とする。よって、被評価時間間隔Ｄ１’およびＤ２’を特定するまでに要する処理が簡素化され、被験者がスイングを行ってからその運動フォームの評価結果を提示するまでに要する時間を短くすることができる。
さらに、本実施形態では、第１〜第３の一連の案内音を教示するので、複数の被験者の運動が一定となり、個人差が最小化され、運動評価の精度が向上する。また、被験者の側も、第１〜第３の一連の案内音の支援により、評価される運動を一定のタイミングで反復して実行できるので、スイングを複数回行う場合における運動フォームのバラツキが少なくなる。
【００２３】
（他の実施形態）
本願発明は、種々の変形実施が可能である。
（１）上記実施形態において、第１〜第３の案内音の音色（周波数特性、倍音構造など）だけでなく、ピッチ、音量（立ち上がり、立ち下り特性を含む）、または、それらの組み合わせを変えてもよい。
（２）上記実施形態において、案内音パラメータに従って出力される一連の案内音は、３つである必要はなく、評価を行うスポーツの運動フォームの特性に応じて、２つや４つ以上にしてもよい。
（３）上記実施形態では、第１〜第３の案内音は、案内音パラメータの通りに発音された。これに対し、第１の案内音を発音してから第２の案内音を発音するまでに加速度センサ１１が検出した加速度のサンプルの評価結果が良好でないときは、第３の案内音のピッチを下げることにより被験者に不快な印象を与え、第１の案内音と第２の案内音の間に行うべき運動（例えば、テイクバック運動）の運動フォームの評価がよくなかったことを知らせるようにしてもよい。また、第１の案内音を発音してから第２の案内音を発音するまでに加速度センサ１１が検出した加速度のサンプルの評価結果が良好でないときは、音響処理部１４が発生する第３の案内音のオーディオ信号をローパスフィルタで濾波した上で音発生部１５へ供給し、その第３の案内音の音色を不快な印象を与えるものへ変化させてもよい。これらの変形例は、決まり切った音色の案内音では飽き足らない中上級者向けの訓練ツールとして好適である。
【００２４】
（４）上記実施形態では、連続して発音される３つの案内音のうち第３の案内音の発音時を加速度のサンプル列における時間軸の基準として、打撃の瞬間のサンプルを特定した。しかし、第１の案内音や第２の案内音の発音時を加速度のサンプル列における時間軸の基準としてもよい。
（５）上記実施形態において、被評価時間間隔Ｄ１’およびＤ２’と模範時間間隔Ｄ１’’およびＤ２’’との間のずれ量の総計（｜Ｄ１’−Ｄ１’’｜＋｜Ｄ２’−Ｄ２’’｜）に加えて、被評価サンプルが示す特徴点の加速度の大きさと、評価基準値パラメータとして予め準備したその模範の加速度の大きさとのずれ量を求めてもよい。また、求めたずれ量を閾値と比較して、その結果に応じた評価音声を発音させてもよい（図３のＳ１６０）。
（６）上記実施形態において、理想値パラメータを予め準備することなく、被評価サンプルの取得時刻と基準サンプルの取得時刻との間の時間間隔が短いほど良好な評価結果を出力するようにしたり、その時間間隔が長いほど良好な評価結果を出力するようにしてもよい。
【００２５】
（７）上記実施形態では、被験者の運動フォームの評価結果を３段階で評価し、その評価結果に応じて、「Excellent」、「Good」、または「Practice More」のいずれかの評価音声を出力した。しかし、評価結果を２通りとし、運動フォームが不良である場合は、「ブブー」といった不良を示唆する音を、良好である場合は「ピンポン」といった良好を示唆する音をそれぞれ出力するようにしてもよい。また、「ステップが弱い」などのように、評価結果を基に特定した運動フォームの欠点の具体的な内容を示す音声を出力してもよい。
（８）上記実施形態では、被験者の腰に加速度センサ１１を装着した。しかし、被験者の力の作用を受ける他の部位、例えば、被験者の身体の腰以外の部位や道具に加速度センサ１１を装着し、その部位に加わる加速度のサンプルを運動フォームの評価に用いてもよい。
（９）上記実施形態において、速度センサ、歪センサ、圧力センサ、地磁気センサ、傾斜センサ、筋肉の緊張度を検出するセンサ等々、公知の種々の動作検出センサを加速度センサ１１の代わりに被験者の身体や道具の部位に搭載し、それらの部位の運動状態を示す物理量を検出し、その物理量のサンプルを運動フォームの評価に用いてもよい。
【００２６】
（１０）上記実施形態において、運動開始判定部１９は、サンプルの加速度の移動平均が閾値ｔｈを超えた場合に、運動が始まったと判断した。しかし、加速度の極大値が閾値ｔｈを超えた場合に、運動が始まったと判断してもよい。また、運動が始まってから終わるまでの時間Ｔよりも十分に小さな時間ｔが経過するたびに、その時間ｔの間の複数の極値の時間間隔を求め、求めた時間間隔が予め設定された動作モデルのパターンに合致した場合に、運動が始まったと判断してもよい。
（１１）上記実施形態において、複数の被験者の各々に固有の時間差パラメータをパラメータ記憶用メモリ１３に記憶し、装置１０を使う被験者が自らの時間差パラメータを都度選択できるようにしてもよい。また、案内音の個数、音色、発音間隔などを各種のスポーツの運動フォームに応じて変えた複数の案内音パラメータをパラメータ記憶用メモリ１３に記憶し、評価を行う運動フォームの種別に応じてそれらの中から選択できるようにしてもよい。
（１２）上記実施形態において、被験者に試し打ちを行わせてその被験者の時間差パラメータの取得を行うことなく、第３の案内音の発音と同時にサンプル用メモリに２２に書き込まれた加速度のサンプルをそのまま基準サンプルとし、被評価サンプルの取得時刻との時間間隔を求めてもよい。
【００２７】
（１３）上記実施形態では、テニスのスイングの運動フォームの評価に本願発明を適用した。しかし、本願発明により評価を行い得る運動フォームはこれに限らない。本願発明の適用により訓練の効率化が期待される運動フォームとしては、以下のものがある。
ａ．水泳の運動フォーム
水泳の運動フォームは、手足により水を後方へ掻く掻き運動と掻いた手足を元に戻す復帰運動とを有し、掻き運動の運動フォームはできるだけ大きな推進力を稼げるものであることが望ましく、復帰運動の運動フォームは掻き運動で得た推進力の損失をできるだけ少なくするものであることが望ましいとされている。このような性質を有する運動フォームの評価は、例えば、以下のような構成により実現できる。まず、掻き運動と復帰運動の各々の開始のタイミングを案内する第１の案内音と第２の案内音を時間間隔をあけて繰り返し出力し、額に水圧センサを装着させた被験者を泳がせる。そして、その泳ぎの間に水圧センサが検出した圧力値を基に被験者の加速度の変化を示す時間波形を取得する。さらに、掻き運動から復帰運動に至る各ストロークの加速度の時間波形から特徴点を抽出し、それらの特徴点の加速度を検出した時刻と案内音を発音した時刻の間の時間間隔と、予め準備した模範の時間間隔とのずれ量を評価音として出力する。評価音は、ずれ量が閾値を超えた時に、ローパスフィルタによりこもった音色に変えるなどし、運動フォームの良否を示すものにするとなおよい。また、水圧センサの値から、被験者の速度を割り出し、その速度に応じて、次に発音する案内音の音量やピッチを変えるようにしてもよい。
ｂ．ゴルフスイングの運動フォーム
ゴルフのドライバースイングの運動フォームは、クラブヘッドがボールをインパクトする瞬間のそのヘッドの速度が大きいものであるほど望ましいとされている。このような性質を有する運動フォームの評価は、例えば、以下のような構成により実現できる。まず、バックスイングの開始のタイミングを案内する第１の案内音、それに後続するダウンスイングの開始のタイミングを案内する第２の案内音、およびボールを打撃するタイミングを案内する第３の案内音を時間間隔をあけて出力し、クラブヘッドに風圧センサが装着されたクラブを把持した被験者にドライバースイングをさせる。そして、風圧センサが検出した圧力値を基にクラブヘッドの速度の変化を示す時間波形を取得する。さらに、その時間波形の特徴点である極大値の速度を検出した時、つまり、クラブヘッドのスピードが最大化した時に、そのことを示す第４の案内音を出力する。被験者は、第３の案内音と第４の案内音の発音の時間差を基に、ボールをインパクトする瞬間でクラブヘッドのスピードを最大化できているかを把握することができる。
ｃ．ウォーキングの運動フォーム
ウォーキングの運動フォームは、正しい姿勢を維持したまま歩を進めることが望ましいとされている。このような性質を有する運動フォームの評価は、例えば、以下のような構成により実現できる。まず、被験者の膝、腰、腕などの各部位に位置センサを装着し、右足を前に進める運動の開始のタイミングを案内する第１の案内音と、左足を前に進める運動の開始のタイミングを案内する第２の案内音を時間間隔をあけて繰り返し出力し、被験者にウォーキングを行わせる。そして、そのウォーキングの間に位置センサが検出した位置を基に、被験者の姿勢、体幹の傾き、上下動などの変化を示す時間波形を取得する。そして、その時間波形から特徴点を抽出し、抽出した特徴点と予め準備した模範の特徴点のずれ量を評価音として出力する。評価音は、ずれ量が閾値を超えた時に、ピッチをゆらし、被験者に不快な印象を与えるようなものにするとよい。
また、以上説明した、水泳、ゴルフのスイング、ウォーキングなどの運動を被験者が複数回にわたって繰り返し行い、繰り返される運動の各々を評価するようにしてもよい。この態様によると、それらの運動のフォームの矯正を短時間で完成させることができる。
【００２８】
（１４）上記実施形態では、被験者の試し打ちを行わせて得た時間差パラメータの符号が
負である場合は、遅延部１８が、ＡＤＣ１７から出力される加速度のサンプルのデジタル信号をその時間差パラメータが示す時間差の分だけ遅延させた上で出力する一方、時間差パラメータの符号が正である場合は、評価部２２が、第３の案内音の発音時よりもその時間差パラメータが示す時間差の分だけ後にサンプル用メモリ２１に書き込まれたサンプルを基準サンプルとした。しかし、遅延部１８による遅延量の調整のみによって、被験者のリズム感と第１〜第３の案内音のリズムの差を埋め合わせるようにしてもよい。この変形例は、例えば、以下の構成により実現し得る。まず、被験者の試し打ちにより得た時間差パラメータの符号が正である場合は、遅延部１８の遅延量をその絶対値の分だけ規定値ｄよりも小さくし、時間差パラメータの符号が負である場合は、遅延部１８の遅延量をその絶対値の分だけ規定値ｄよりも大きくする。一方で、評価部２２は、時間差パラメータが正であると負であるとに関わらず、第３の案内音の発音時よりも規定値ｄ相当だけ後にサンプル用メモリ２１へ書き込まれた加速度のサンプルを、基準サンプルとして特定する。
【００２９】
（１５）上記実施形態において、被評価時間間隔Ｄ１’およびＤ２’と模範時間間隔Ｄ１’’およびＤ２’’との間のずれ量の総計（｜Ｄ１’−Ｄ１’’｜＋｜Ｄ２’−Ｄ２’’｜）を算出する際、それらのずれ量の一方または両方に個別の重み付け係数を乗算してから総計を求めてもよい。この重み付け係数は、評価する運動の内容や評価の目的に応じて適宜設定するとよい。
（１６）上記実施形態においては、加速度の波形における極大値と極小値を特徴点とし、この極大値と極小値のサンプルの取得時刻と打撃の瞬間の加速度のサンプルの取得時刻との間の時間間隔である被評価時間間隔Ｄ１’およびＤ２’を求めた。しかし、極大値や極小値だけでなく、加速度の波形が上に凸の波形から下に凸の波形に切り換わる停留点、下に凸の波形から上に凸の波形に切り換わる停留点、その他の変曲点などを特徴点とし、それらに該当するサンプルの取得時刻と打撃の瞬間のサンプルの取得時刻との間の時間間隔を基に評価を行ってもよい。加速度の波形が上に凸の波形から下に凸の波形に切り換わる停留点、下に凸の波形から上に凸の波形に切り換わる停留点、およびその他の変曲点は、加速度の１階微分値やさらに高次の微分値を用いることによって検出することが可能である。また、加速度の波形の積分値（波形の面積）を特徴点として抽出してもよい。
（１７）上記第実施形態にかかる運動評価装置１０の各部と同じ機能をコンピュータに実現させるプログラムを、ＷＷＷ（World Wide Web ）上のサーバ装置から、パーソナルコンピュータ、ＰＤＡ（Personal Data Assistance）、携帯電話端末へダウンロードさせてもよい。この場合、それらの端末に標準装備されているセンサ、音源、スピーカなどを、ダウンロードしたプログラムによって制御し、上記運動評価装置１０と同様の作用を実現することが可能である。また、そのようなプログラムを記憶媒体に記憶させた上で配布するようにしてもよい。
【図面の簡単な説明】
【００３０】
【図１】この発明の実施形態である運動評価装置の構成を示すブロック図である。
【図２】フォワードスイング運動の間の腰の加速度の時間波形を示す図である 。
【図３】同実施形態の処理の内容を示すフローチャートである。
【符号の説明】
【００３１】
１０…運動評価装置、１１…加速度センサ、１２…主制御部、１３…パラメータ記憶用メモリ、１４…音響処理部、１５…音発生部、１６…スピーカ、１７…ＡＤＣ、１８…遅延部、１９…運動開始判定部、２０…フィルタ、２１…サンプル用メモリ、２２…評価部
【図１】
2009247529.tif 000003
【図２】
2009247529.tif 000004
【図３】
2009247529.tif 000005